(57)【要約】【課題】レッグガードの装着の自由度を確保しつつキャッチャーのふくらはぎに当接すると共にふくらはぎを保護する野球用ふくらはぎ当て具を提供する。【解決手段】キャッチャーが、レッグガードと併せて装着する野球用ふくらはぎ当て具であって、厚みが下方から上方へ減少するクッションブロック部２と、クッションブロック部２よりも厚みが小さく形成され、ふくらはぎに当接する保護パット３と、を備え、かつ、クッションブロック部２と保護パット３とは部分的に相互に縫着されてクッションブロック部２と保護パット３との間にレッグガードのベルトを挿通可能な非縫着の差込部４を形成している。【選択図】図７
2010167085.tif 000002
【特許請求の範囲】
【請求項１】
キャッチャーが、レッグガード（10）と併せて装着する野球用ふくらはぎ当て具（１）であって、
厚みが下方から上方へ減少するクッションブロック部（２）と、該クッションブロック部（２）が取着された可撓帯状体（８）と、上記クッションブロック部（２）の平均厚さよりも厚みが小さく形成されふくらはぎに当接する保護パット（３）と、を備え、かつ、上記可撓帯状体（８）と上記保護パット（３）とは部分的に相互に縫着されて上記可撓帯状体（８）と上記保護パット（３）との間に上記レッグガード（10）のベルト（11）を挿通可能な非縫着の差込部（４）を形成したことを特徴とする野球用ふくらはぎ当て具。
【請求項２】
キャッチャーが、レッグガード（10）と併せて装着する野球用ふくらはぎ当て具（１）であって、
厚みが下方から上方へ減少するクッションブロック部（２）と、該クッションブロック部（２）の平均厚さよりも厚みが小さく形成されふくらはぎに当接する保護パット（３）と、を備え、かつ、上記クッションブロック部（２）と上記保護パット（３）とは部分的に相互に縫着されて上記クッションブロック部（２）と上記保護パット（３）との間に上記レッグガード（10）のベルト（11）を挿通可能な非縫着の差込部（４）を形成したことを特徴とする野球用ふくらはぎ当て具。
【請求項３】
上記クッションブロック部（２）を、横方向の凹溝（５）（５ａ）（５ｂ）を介して、複数個の凸部（２ａ）（２ｂ）（２ｃ）に分割し、下方から上方へ、段階的に厚さ寸法（Ｄ）を減少させた分割ブロック状とした請求項１又は２記載の野球用ふくらはぎ当て具。
【請求項４】
上記保護パット（３）は、左右両側に羽根部（３ａ）（３ａ）を有している請求項１，２又は３記載の野球用ふくらはぎ当て具。
【請求項５】
上記差込部（４）は、上下中間位置よりも下方位置の中間縫着部（20）によって、下部差込部（４ａ）と上部差込部（４ｂ）に区画形成され、上記上部差込部（４ｂ）の上下寸法（Ｌb ）が上記下部差込部（４ａ）の上下寸法（Ｌa ）よりも大きく設定されている請求項１，２，３又は４記載の野球用ふくらはぎ当て具。
【発明の詳細な説明】
【技術分野】
【０００１】
本発明は、野球に於けるキャッチャーの膝の負担を軽減するために、レッグガードと併せて装着する野球用ふくらはぎ当て具に関する。
【背景技術】
【０００２】
従来、キャッチャーは、下肢部にレッグガードを装着し、ボールや走者からの打撃に備えている（特許文献１参照）。
一般に、レッグガードのバンドは、交差状として装着する方法が多く見られる。
また、キャッチャーが捕球を行う際には、膝関節を可動域の限界まで曲げて座る姿勢を取って補球し、ピッチャーへの返球のために立ち上がり膝を伸ばすという動作を繰り返していた。膝関節を可動域の限界まで曲げると、膝の靭帯が限界まで伸ばされて、膝に大きな負担をかけることになる。そこで、図５と図６に示すようなクッション材50を大腿部と下腿部の間に挟んで、膝関節の負担を軽減する野球用ふくらはぎ当て具が提案されている。
【先行技術文献】
【特許文献】
【０００３】
【特許文献１】特開２００８−７９６９４号公報
【発明の概要】
【発明が解決しようとする課題】
【０００４】
しかし、キャッチャーが走者の本塁突入を阻止する際に、走者の進入角度によっては、ふくらはぎ（下腿部の背面側）にダメージを受ける可能性があった。レッグガードは、脛(下腿部の前面側)を保護する優れた効果を期待できるが、ふくらはぎを保護することは想定されていない。
また、従来の野球用ふくらはぎ当て具は、レッグガードのバンドを、クッション材50の左右両端側に付設された取付用リングＲに挿通して装着するため、レッグガードのバンドを交差させて装着する方法が制限されるという欠点があった。
【０００５】
そこで、本発明は、レッグガードの装着の自由度を確保しつつキャッチャーのふくらはぎに当接すると共にふくらはぎを保護する野球用ふくらはぎ当て具を提供することを目的とする。
【課題を解決するための手段】
【０００６】
そこで、本発明に係る野球用ふくらはぎ当て具は、キャッチャーが、レッグガードと併せて装着する野球用ふくらはぎ当て具であって、厚みが下方から上方へ減少するクッションブロック部と、該クッションブロック部が取着された可撓帯状体と、上記クッションブロック部の平均厚さよりも厚みが小さく形成されふくらはぎに当接する保護パットと、を備え、かつ、上記可撓帯状体と上記保護パットとは部分的に相互に縫着されて上記可撓帯状体と上記保護パットとの間に上記レッグガードのベルトを挿通可能な非縫着の差込部を形成したものである。
【０００７】
また、キャッチャーが、レッグガードと併せて装着する野球用ふくらはぎ当て具であって、厚みが下方から上方へ減少するクッションブロック部と、該クッションブロック部の平均厚さよりも厚みが小さく形成されふくらはぎに当接する保護パットと、を備え、かつ、上記クッションブロック部と上記保護パットとは部分的に相互に縫着されて上記クッションブロック部と上記保護パットとの間に上記レッグガードのベルトを挿通可能な非縫着の差込部を形成したものである。
【０００８】
また、上記クッションブロック部を、横方向の凹溝を介して、複数個の凸部に分割し、下方から上方へ、段階的に厚さ寸法を減少させた分割ブロック状としたものである。
また、上記保護パットは、左右両側に羽根部を有しているものである。
また、上記差込部は、上下中間位置よりも下方位置の中間縫着部によって、下部差込部と上部差込部に区画形成され、上記上部差込部の上下寸法が上記下部差込部の上下寸法よりも大きく設定されているものである。
【発明の効果】
【０００９】
本発明の野球用ふくらはぎ当て具によれば、膝の限界屈曲による負担を軽減すると共にキャッチャーのふくらはぎが外部からダメージを受けるのを防ぐことができる。さらに、レッグガードのベルトを容易に挿通させることができ、ベルトを交差させて装着することが可能である。
【図面の簡単な説明】
【００１０】
【図１】本発明に係る野球用ふくらはぎ当て具の実施の一形態を示した正面図である。
【図２】図１のＡ−Ａ断面図である。
【図３】本発明に係る野球用ふくらはぎ当て具の使用状態を示した説明図である。
【図４】野球用ふくらはぎ当て具の使用状態の説明図である。
【図５】従来のクッション材を示した正面図である。
【図６】従来のクッション材を示した側面図である。
【図７】本発明の他の実施の形態を示す断面側面図である。
【発明を実施するための形態】
【００１１】
以下、実施の形態を示す図面に基づき、本発明を詳細に説明する。
【００１２】
図１及び図２は、本発明に係る野球用ふくらはぎ当て具の実施の一形態を示した正面図であって、野球用ふくらはぎ当て具１は、厚みが下方から上方へ減少する分割ブロック状のクッションブロック部２と、クッションブロック部２が取着された可撓帯状体８と、左右両側に羽根部３ａ，３ａを有するスリッパ形状乃至ひょうたん形状の保護パット３と、を備えている。可撓帯状体８と保護パット３とは、上下両端縁部と中間縫着部20で横方向に相互に縫着されている。可撓帯状体８と保護パット３との間には、レッグガード10のベルト11を左右方向に挿通可能な非縫着の差込部４を形成している。
【００１３】
クッションブロック部２は、図例では、横断面凸型の分割ブロックが３個形成されており、下方から順番に、第１凸部２ａ，第２凸部２ｂ，第３凸部２ｃとして構成される。上下隣り合う分割ブロックの凸部２ａ，２ｂ，２ｃの間には、横方向の凹溝５ａ，５ｂが形成されている。第１凸部２ａの厚さ寸法ＤをＤa ，第２凸部２ｂの厚さ寸法ＤをＤb ，第３凸部２ｃの厚さ寸法ＤをＤc とすると、Ｄa ＞Ｄb ＞Ｄc となるように設定している。つまり、クッションブロック部２を構成する３個の凸部２ａ，２ｂ，２ｃは、下方から順に、段階的に厚さ寸法Ｄを減少している。凸部２ａ，２ｂ，２ｃは、弾発力を有するプラスチック発泡体６ａ，６ｂ，６ｃを内有している。プラスチック発泡体６ａ，６ｂ，６ｃは、発泡ポリウレタン及び発泡ポリエチレンを２層構造として積層したものである。
【００１４】
保護パット３は、クッションブロック部２の平均厚さＤa ＋Ｄb ＋Ｄc ／３よりも厚みが小さく、横幅が広く形成されている。保護パット３は、ふくらはぎの曲面に沿って、直接に当接するように屈曲自在に形成されている。保護パット３の左右両側には、縫い目15を中心に揺動自在の羽根部３ａ，３ａが形成されている。保護パット３は、内層として弾発力を有する発泡ポリウレタンを有している。なお、可撓帯状体８の積層構造は、この保護パット３と同様にするのが好ましい。
【００１５】
差込部４は、上下中間位置よりも下方位置の中間縫着部20によって、下部差込部４ａと上部差込部４ｂに区画形成されている。上部差込部４ｂの上下寸法Ｌb が、下部差込部４ａの上下寸法Ｌa よりも大きく設定されている。
【００１６】
上述した本発明の野球用ふくらはぎ当て具の使用方法（作用）について説明する。
図３に示すように、野球用ふくらはぎ当て具１は、野球のキャッチャーが守備の際に着用するレッグガード10に取り付けて装着する。野球用ふくらはぎ当て具１を装着した場合には、保護パット３がふくらはぎを覆うように当接し、外部からの衝撃を緩衝する防具の役割を果たす。ベルト11で抑えられた羽根部３ａ，３ａが揺動してふくらはぎの曲面に沿って屈曲し、ふくらはぎの広い範囲を保護する。
クッションブロック部２は、ふくらはぎと大腿下面の間に介在して、膝が可動域の限界まで屈曲しないようにする。また、クッションブロック部２は、腰を落とした着用者の体重を膝とふくらはぎに分配して支えるクッションの役割を果たす。
【００１７】
クッションブロック部２は、荷重を受けて弾性変形しており、弾発力を有するプラスチック発泡体６ａ，６ｂ，６ｃの復元力によって大腿部を押し返して、着用者が立ち上がるのを補助する。分割状のクッションブロック部２は、下方から上方に段階的に厚さ寸法Ｄを減少しているため、第１凸部２ａ，第２凸部２ｂ，第３凸部２ｃに均等に荷重を分配して、応力を集中させることなく体重を支える。
【００１８】
また、分割状のクッションブロック部２は、激しい動きに対しても、ふくらはぎや脚の湾曲に沿って屈曲するため、プレーの妨げにならない。また、凹溝５ａ，５ｂは、空気を通しやすくして、蒸れを防ぎ、体温の上昇を抑える。
【００１９】
保護パット３は、着用者のふくらはぎを広い範囲で保護して、プレー中の安全性を高める。保護パット３は、激しい動きに対しても、ふくらはぎや脚の湾曲に沿って屈曲するため、プレーの妨げにならない。
【００２０】
図４は、野球用ふくらはぎ当て具１をレッグガード10に付設した様子を背面側から示した図である。下部差込部４ａには、１本のべルト11が横方向（水平方向）に挿通して、野球用ふくらはぎ当て具１をレッグガード10に取り付ける。上部差込部４ｂには、２本のベルト11が互いに交差したクロス掛けで挿通して、野球用ふくらはぎ当て具１をレッグガード10に取り付ける。ベルト11をクロス掛けとすることで、野球用ふくらはぎ当て具１が上下方向に移動することを防ぐ。なお、下方のベルト11を、図４よりも上方位置となるように、各部の上下寸法を変更して、下方のベルト11が中間縫着部20にて、当て具１が下方へ位置ずれしないようにしても自由である。
【００２１】
次に、図７は、本発明の他の実施の形態を示し、まず、凸部２ａ，２ｂが２個とした場合を例示しており、（既述の実施の形態と共に）この凸部２ａ，２ｂ…の個数の増減は自由であることを示している。さらに、図７では、図１〜図４に於ける可撓帯状体８を省略して、クッションブロック部２を（直接的に）保護パット３と縫着している。同一符号は同様の構成を示しており、それ以外の構成は図１〜図４と同様であるので説明を省略する。
【００２２】
なお、本発明は、設計変更可能であって、例えば、クッションブロック部２の分割数は、３個に限定されるものではなく、ブロック数を自由に設定できるものとする。
また、プラスチック発泡体６ａ，６ｂ，６ｃは、発泡ポリウレタン及び発泡ポリエチレンの２層構造とした構成に限定されるものではなく、発泡ポリウレタン又は発泡ポリエチレンの単層としてもよく、必要とされる弾発力に応じて、その材質を自由に選択できるものである。
【００２３】
以上のように、本発明は、キャッチャーが、レッグガード10と併せて装着する野球用ふくらはぎ当て具１であって、厚みが下方から上方へ減少するクッションブロック部２と、クッションブロック部２が取着された可撓帯状体８と、クッションブロック部２の平均厚さよりも厚みが小さく形成されふくらはぎに当接する保護パット３と、を備え、かつ、可撓帯状体８と保護パット３とは部分的に相互に縫着されて可撓帯状体８と保護パット３との間にレッグガード10のベルト11を挿通可能な非縫着の差込部４を形成しているので、可動域限界での屈曲による膝の負担を軽減すると共にキャッチャーのふくらはぎが外部からダメージを受けるのを確実に防ぐことができ、安心してプレーを楽しむことができる。さらに、レッグガード10のベルト11を容易に挿通させることができ、ベルト11を交差させて装着することが可能となる。また、可撓帯状体８を有するので、クッションブロック部２を強固に保護パット３に縫着できる利点があり、さらに、クッションブロック部２の上下長さ寸法よりも、ふくらはぎに接触する保護パット３の上下長さ寸法を十分に大きくしても、相互に確実・強固に縫着できる利点もある。
【００２４】
また、キャッチャーが、レッグガード10と併せて装着する野球用ふくらはぎ当て具１であって、厚みが下方から上方へ減少するクッションブロック部２と、クッションブロック部２の平均厚さよりも厚みが小さく形成されふくらはぎに当接する保護パット３と、を備え、かつ、クッションブロック部２と保護パット３とは部分的に相互に縫着されてクッションブロック部２と保護パット３との間にレッグガード10のベルト11を挿通可能な非縫着の差込部４を形成しているので、可動域限界での屈曲による膝の負担を軽減すると共にキャッチャーのふくらはぎが外部からダメージを受けるのを確実に防ぐことができ、安心してプレーを楽しむことができる。さらに、レッグガード10のベルト11を容易に挿通させることができ、ベルト11を交差させて装着することが可能となる。
【００２５】
また、クッションブロック部２を、横方向の凹溝５，５ａ，５ｂを介して、複数個の凸部２ａ，２ｂ，２ｃに分割し、下方から上方へ、段階的に厚さ寸法Ｄを減少させた分割ブロック状としたので、通気性が非常によく、蒸れを防いで、プレー中の体温の上昇を抑えることができ、着用者は気持ち良くプレーできる。また、クッションブロック部２がふくらはぎの曲面に沿って湾曲し、ふくらはぎにフィットし易く、スムーズにプレーすることができる。
【００２６】
また、保護パット３は、左右両側に羽根部３ａ，３ａを有しているので、ふくらはぎの広い範囲を覆うことができ、安全性が一層高まる。
【００２７】
また、差込部４は、上下中間位置よりも下方位置の中間縫着部20によって、下部差込部４ａと上部差込部４ｂに区画形成され、上部差込部４ｂの上下寸法Ｌb が下部差込部４ａの上下寸法Ｌa よりも大きく設定されているので、レッグガード10のベルト11をクロス掛けで締結することができ、野球用ふくらはぎ当て具１を確実にふくらはぎに当てることができる。
【符号の説明】
【００２８】
１  野球用ふくらはぎ当て具
２  クッションブロック部
２ａ  第１凸部
２ｂ  第２凸部
２ｃ  第３凸部
３  保護パット
３ａ  羽根部
４  差込部
４ａ  下部差込部
４ｂ  上部差込部
５  凹溝
５ａ  凹溝
５ｂ  凹溝
８  可撓帯状体
10  レッグガード
11  ベルト
20  中間縫着部
Ｄ  厚さ寸法
Ｌa  上下寸法
Ｌb  上下寸法
【図１】
2010167085.tif 000003
【図２】
2010167085.tif 000004
【図３】
2010167085.tif 000005
【図４】
2010167085.tif 000006
【図５】
2010167085.tif 000007
【図６】
2010167085.tif 000008
【図７】
2010167085.tif 000009